(57)【要約】【課題】本考案は、マウスピースが上顎の歯および歯茎に被せる上部溝部分と下顎の歯および歯茎に被せる下部溝部分とで構成されることに着目し、上記の上部溝部分と下部溝部分との間に電磁振動部材や薄型のシート状バッテリーを内蔵するための中間層部分を設けることにより、所要の電気部品を適切に配設できるようにして、医療のために使い易くした医療用口内振動器を提供することを課題とする。【解決手段】上顎の歯および歯茎に被せる溝部をそなえた弯曲形状の上部溝部分１と、下顎の歯および歯茎に被せる溝部をそなえた弯曲形状の下部溝部分２とが、中間層部分３によって一体に結合され、同中間層部分３には、スイッチ５により作動するディスク状電磁振動部材や、端子４ａを介して充電される電源としてのバッテリー４が内蔵される。【選択図】  図１
0003123250.tif 000002
【実用新案登録請求の範囲】
【請求項１】
上顎の歯および歯茎に被せる上向き溝部をそなえた弯曲形状の上部溝部分と、下顎の歯および歯茎に被せる下向き溝部をそなえた弯曲形状の下部溝部分と、上記の上部溝部分と下部溝部分とを一体に結合する中間層部分とを備えた樹脂製のマウスピースにおいて、上記中間層部分に内蔵されたバッテリーと、同バッテリーにスイッチを介し結線されて上記中間層部分に内蔵された複数の電磁振動部材とが設けられていることを特徴とする、医療用口内振動器。
【請求項２】
上記バッテリーが、シート状バッテリーとして構成されていることを特徴とする、請求項１に記載の医療用口内振動器。
【請求項３】
上記電磁振動部材が、ディスク状電磁振動部材として構成されていることを特徴とする、請求項１または２に記載の医療用口内振動器。
【請求項４】
上記シート状バッテリーが、上記中間層部分の外表面に接近した部位において充電を受けるための端子を備えていることを特徴とする、請求項１〜３のいずいれか１つに記載の医療用口内振動器。
【請求項５】
上記スイッチが、上記中間層部分の外表面に接近した部位において押圧によりオン・オフ操作を受ける埋蔵型の押圧式スイッチとして構成されて、同中間層部分の前端部に配設されていることを特徴とする、請求項１〜４のいずれか１つに記載の医療用口内振動器。
【考案の詳細な説明】
【技術分野】
【０００１】
本考案は、マウスピースを利用して歯茎に振動を与えることにより、歯茎のマッサージや顎骨の内部の血流促進を図るとともに、顎のリラックスや洗口剤の併用による口内洗浄も行えるようにした医療用口内振動器に関する。
【背景技術】
【０００２】
従来、マウスピースを利用した電動歯ブラシが開発されており、Ｈ型断面の構造体を歯茎に嵌めて噛むことにより、圧力スイッチが入るようにしたものが提案されているが、電磁振動部材の挿入部について十分な配慮が施されておらず、医療用としては使用し難いという問題点がある。
【特許文献１】特開２００３−１８０７１８号公報
【考案の開示】
【考案が解決しようとする課題】
【０００３】
本考案は、マウスピースが上顎の歯および歯茎に被せる上部溝部分と下顎の歯および歯茎に被せる下部溝部分とで構成されることに着目し、上記の上部溝部分と下部溝部分との間に電磁振動部材や薄型のシート状バッテリーを内蔵するための中間層部分を設けることにより、所要の電気部品を適切に配設できるようにして、医療のために使い易くした医療用口内振動器を提供することを課題とする。
【課題を解決するための手段】
【０００４】
本考案の医療用口内振動器は、上顎の歯および歯茎に被せる上向き溝部をそなえた弯曲形状の上部溝部分と、下顎の歯および歯茎に被せる下向き溝部をそなえた弯曲形状の下部溝部分と、上記の上部溝部分と下部溝部分とを一体に結合する中間層部分とを備えた樹脂製のマウスピースにおいて、上記中間層部分に内蔵されたバッテリーと、同バッテリーにスイッチを介し結線されて上記中間層部分に内蔵された複数の電磁振動部材とが設けられていることを特徴としている。
【０００５】
また本考案の医療用口内振動器は、上記バッテリーが、シート状バッテリーとして構成されていることを特徴としている。
【０００６】
さらに本考案の医療用口内振動器は、上記電磁振動部材が、ディスク状電磁振動部材として構成されていることを特徴としている。
【０００７】
また本考案の医療用口内振動器は、上記シート状バッテリーが、上記中間層部分の外表面に接近した部位において充電を受けるための端子を備えていることを特徴としている。  
【０００８】
さらに本考案の医療用口内振動器は、上記スイッチが、上記中間層部分の外表面に接近した部位において押圧によりオン・オフ操作を受ける埋蔵型の押圧式スイッチとして構成されて、同中間層部分の前端部に配設されていることを特徴としている。
【考案の効果】
【０００９】
上述の本考案の医療用口内振動器では、マウスピースが、上顎の歯および歯茎に被せる上向き溝部をそなえた弯曲形状の上部溝部分と、下顎の歯および歯茎に被せる下向き溝部をそなえた弯曲形状の下部溝部分とを備えるとともに、これらの上部溝部分と下部溝部分とを一体に結合する中間層部分を備えるように構成されて、同マウスピースの上記中間層部分に、複数の電磁振動部材と同電磁振動部材にスイッチを介し結線されたバッテリーとが内蔵されるので、マウスピースへの電磁振動部材および同電磁振動部材を作動させるためのバッテリーならびにスイッチの配設が著しくコンパクトに行われるようになって、マウスピースの外面から突設するものが無くなり、その使用に際しての利便性が著しく高められるようになる。
【００１０】
また、上記バッテリーが、シート状バッテリーとして構成されていると、同バッテリーの上記中間層部分への埋設が適切に行われるようになる。
【００１１】
さらに、上記電磁振動部材が、ディスク状電磁振動部材として構成されている場合は、同電磁振動部材の上記中間層部分への埋設も容易に行えるようになる。
【００１２】
そして、上記シート状バッテリーが、上記中間層部分の外表面に接近した部位において充電を受けるための端子を設けられることにより、同バッテリーの充電が簡便に行われるほか、上記中間層部分の外表面への上記端子の大幅な突出を防止して、口内での振動器の使用が支障なく行われるようになる。
【００１３】
また、上記スイッチが、上記中間層部分の外表面に接近した部位において押圧によりオン・オフ操作を受ける埋蔵型の押圧スイッチとして構成されて、同中間層部分の前端部に配設されている場合は、このマウスピースを口内の歯および歯茎に嵌めてから、唇だけを開いて、マウスピース前端部における上記押圧スイッチを指で押圧するだけで前記の電磁振動部材を簡便に作動させることができる。
【００１４】
そして、歯茎のマッサージなどをやめる際には、再び唇を開いて上記押圧スイッチの押圧操作を行うことにより、上記電磁振動部材を停止させることができ、ついでマウスピースを口内から外して取り出す操作が円滑に行われるようになる。
【実施例】
【００１５】
図１は本考案の一実施例としての医療用口内振動器の斜視図、図２は図１の医療用口内振動器の中間層部分における水平断面図である。
図１に示すように、本実施例では、上顎の歯および歯茎に被せる上向き溝部をそなえた弯曲形状の上部溝部分１と、下顎の歯および歯茎に被せる下向き溝部をそなえた弯曲形状の下部溝部分２と、上記の上部溝部分１と下部溝部分２とを一体に結合する中間層部分３とによって、シリコン樹脂製の一体型マウスピースが構成されている。
【００１６】
そして、中間層部分３には、シート状のバッテリー４と、同バッテリー４にスイッチ５を介し図示しない電線により結線されて内蔵された複数のディスク状電磁振動部材６とが分散配置されている。なお、この電磁振動部材６としては、超音波振動子を用いることができる。
【００１７】
シート状バッテリー４は、中間層部分３の外表面に接近した部位において電磁誘電式充電を受けるための端子４ａを埋設されている。
なお、この充電用端子としては、通常の接触型の金属端子を用いて、中間層部分３の表面に僅かに露出させるようにしてもよい。
【００１８】
また、スイッチ５は、中間層部分３の外表面に接近した部位において、特に前端部の前面位置で押圧によりオン・オフ操作を受ける埋蔵型の押圧式スイッチとして構成されている。
【００１９】
上述の本実施例の医療用口内振動器では、図１，２に示すように、上顎の歯および歯茎に被せる上向き溝部をそなえた弯曲形状の上部溝部分１と、下顎の歯および歯茎に被せる下向き溝部をそなえた弯曲形状の下部溝部分２とを一体に結合する中間層部分３が設けられて、同中間層部分３に、複数の電磁振動部材６と同電磁振動部材６にスイッチ５を介し結線されたバッテリー４とが内蔵されるので、マウスピースへの電磁振動部材６および同電磁振動部材６を作動させるためのバッテリー４ならびにスイッチ５の配設が著しくコンパクトに行われるようになって、マウスピースの外面から突設するものが無くなり、その使用に際しての利便性が著しく高められるようになる。
【００２０】
また、バッテリー４が、シート状バッテリーとして構成されているので、同バッテリー４の中間層部分３への埋設が適切に行われるようになる。
【００２１】
さらに、電磁振動部材６が、ディスク状電磁振動部材として構成されているので、同電磁振動部材６の中間層部分３への埋設も容易に行えるようになる。
【００２２】
そして、シート状バッテリー４が、中間層部分３の外表面に接近した部位において充電を受けるための端子４ａを設けられることにより、同バッテリー４の充電が簡便に行われるほか、中間層部分３の外表面への端子４ａの大幅な突出を防止して、口内での振動器の使用が支障なく行われるようになる。
【００２３】
また、スイッチ５が、中間層部分３の外表面に接近した部位において押圧によりオン・オフ操作を受ける埋蔵型の押圧スイッチとして構成されて、同中間層部分３の前端部に配設されているので、このマウスピースを口内の歯および歯茎に嵌めてから、唇だけを開いて、マウスピース前端部における上記押圧スイッチ５を指で押圧するだけで電磁振動部材６を簡便に作動させることができる。
【００２４】
そして、歯茎のマッサージなどをやめる際には、再び唇を開いて押圧スイッチ５の押圧操作を行うことにより、電磁振動部材６を停止させることができ、ついでマウスピースを口内から外して取り出す操作が円滑に行われるようになる。
【図面の簡単な説明】
【００２５】
【図１】本考案の一実施例としての医療用口内振動器の斜視図である。
【図２】図１の医療用口内振動器の中間層部分における水平断面図である。
【符号の説明】
【００２６】
１  上部溝部分
２  下部溝部分
３  中間層部分
４  バッテリー
４ａ  端子
５  スイッチ
６  電磁振動部材
【図１】
0003123250.tif 000003
【図２】
0003123250.tif 000004